(57)【特許請求の範囲】
【請求項１】
チェーンを所定の高さに張ってゲートを閉じ、該チェーンを下げてゲートを開くチェーンゲートに於いて、
前記ゲートの一端に設けて、手動又は電動により前記チェーンを引っ張り又は緩めて前記ゲートの開閉操作を行うゲート操作部と、
前記ゲートの他端に設けて前記チェーンの他端を保持する保持部と、
前記ゲート操作部と前記保持部との間のゲート角部に配置し、該ゲート角部の角度のほぼ中間の角度方向に傾斜した支柱と該支柱にスライド可能に設けて前記チェーンを案内するチェーン案内ドラムとを有する角中間支持部と
を備えたことを特徴とするチェーンゲート。
【請求項２】
前記角中間支持部と前記ゲート操作部又は前記保持部との間に、前記チェーンの中間を支持する為の起伏可能の支柱を有する単一又は複数の中間支持部を設け、且つ該中間支持部の前記支柱を、前記ゲート操作部の前記チェーンを引っ張る操作で立上げ、前記チェーンを緩める操作で倒すように操作する起伏操作手段を前記支柱の下部に連結したことを特徴とする請求項１記載のチェーンゲート。
【請求項３】
前記中間支持部は、前記支柱の上部に前記チェーンを支持し、該支柱の下部を水平方向にスライド可能に支持し、前記ゲート操作部におけるゲートの開閉操作に対応して前記支柱の下部を水平方向にスライドさせて起伏操作する起伏操作手段を設けたことを特徴とする請求項１又は２記載のチェーンゲート。
【請求項４】
前記ゲート操作部は、回転可能に支持されると共に手動又は電動により昇降され、且つ一端を固定した前記チェーンを巻回した第１のドラムと、回転可能に支持されて前記第１のドラムに巻回した前記チェーンを巻回して所定の高さにチェーンを張る為の第２のドラムと、前記第１のドラムを上昇させた時に前記中間支持部の前記支柱を倒し、前記第１のドラムを降下させた時に前記中間支持部の前記支柱を起立させる起伏操作手段の駆動部とを有することを特徴とする請求項１又は２記載のチェーンゲート。
【請求項５】
前記ゲート操作部は、回転可能に支持されると共に手動又は電動により昇降され、且つ一端を固定した前記チェーンを巻回した第１のドラムと、回転可能に支持されると共に前記第１のドラムの昇降方向と反対方向に昇降されて前記第１のドラムに巻回した前記チェーンを巻回して所定の高さにチェーンを張る為の第２のドラムと、前記第１のドラムを上昇させ且つ前記第２のドラムを降下させた時に前記中間支持部の前記支柱を倒し、前記第１のドラムを降下させ且つ前記第２のドラムを上昇させた時に前記中間支持部の前記支柱を起立させる起伏操作手段の駆動部とを有することを特徴とする請求項１又は２記載のチェーンゲート。
【発明の詳細な説明】
【０００１】
【発明の属する技術分野】
本発明は、チェーンを所定の高さに張って自動車等の進入を阻止するチェーンゲートに関するもので、特に、長スパン又は直線でないゲートに対しても、チェーンを張って所定の高さとしてゲートを閉じ、又チェーンを緩めてゲートを開く操作性を向上したチェーンゲートに関する。
【０００２】
【従来の技術】
自動車等の通路に於けるゲートとして、既に各種の構成が知られており、チェーンゲートは比較的多く採用されている。従来のチェーンゲートは、ゲートの両側にそれぞれ支柱を直立させて固定し、その支柱の上部に、チェーンの端部を引っ掛けて、例えば、地上７０ｃｍ程度の高さにチェーンを張ってゲートを閉じ、そのチェーンの一端又は両端を支柱から外してチェーンを下げることによりゲートを開くものである。又比較的長時間ゲートを開いておく場合に、チェーンと共に支柱を取り外す構成も知られている。
【０００３】
【発明が解決しようとする課題】
チェーンゲートは、ゲート長に対応した長さのチェーンを必要とするから、ゲート長が長い場合、チェーン全体の重量が大きくなる。従って、所定の高さにチェーンを張る時及び支柱から外す時の労力が非常に大きくなる問題があり、又中間のチェーンが垂れ下がった状態となって、所定の高さを維持できない問題があった。その為に、ゲートを閉じる場合、単一又は複数の支柱を立てて、ゲートの両端の支柱の上部に取り付けたチェーンの中間を支持することが考えられる。或いはゲートの中間に単一又は複数の支柱を立てて、支柱間に短いチェーンをそれぞれ張ることによりゲートを閉じ、それぞれのチェーンを取り外すと共に支柱も取り外すことによりゲートを開くことが考えられる。しかし、ゲートの開閉の操作性が著しく悪くなる欠点がある。
【０００４】
又ゲートが直線状でない場合、その角部に支柱を立てることになるが、前述の中間の支柱と同様に、短いチェーンをそれぞれの支柱間に張って、ゲートを閉じることになり、ゲート長が長い場合と同様にゲートの開閉操作が煩雑である欠点があった。
本発明は、ゲートの幅が広い場合や直線でない場合でも、簡単な操作によってチェーンを張ってゲートを閉じ、又チェーンを緩めてゲートを開き、ゲートの開閉の操作性を向上することを目的とする。
【０００５】
【課題を解決するための手段】
本発明のチェーンゲートは、図１を参照すると、（１）チェーンを所定の高さに張ってゲートを閉じ、該チェーンを下げてゲートを開くチェーンゲートであって、ゲートの一端に設けて、手動又は電動によりチェーンを引っ張り又は緩めてゲートの開閉操作を行うゲート操作部１と、ゲートの他端に設けてチェーンの他端を保持する保持部２と、ゲート操作部１と保持部２との間に設けて、チェーンの中間を支持する為の起伏可能の支柱３１を有する単一又は複数の中間支持部３と、この中間支持部３の支柱３１をゲート操作部１のチェーンを引っ張る操作で立上げ、チェーンを緩める操作で倒すように操作する起伏操作手段とを備えている。この起伏操作手段は、ワイヤ，チェーン，ロッド等のゲート操作部１と中間支持部３との間の連結を行う為の構成とこれを引っ張り或いは押す操作を行う駆動部とを含むものである。
【０００６】
又（２）ゲートが直線状でない場合に於いて、ゲートの一端に設けて、手動又は電動により前記チェーンを引っ張り又は緩めてゲートの開閉操作を行うゲート操作部と、ゲートの他端に設けてチェーンの他端を保持する保持部と、ゲート操作部と保持部との間のゲート角部に配置し、このゲート角部のほぼ中間の角度方向に傾斜した支柱と、この支柱にスライド可能に設けてチェーンを案内するチェーン案内ドラムとを有する角中間支持部とを備えている。
【０００７】
又（３）角中間支持部と、ゲート操作部又は保持部との間に、チェーンの中間を支持する為の起伏可能の支柱を有する単一又は複数の中間支持部を設け、且つ中間支持部の支柱を、ゲート操作部のチェーンを引っ張る操作で立上げ、チェーンを緩める操作で倒すように操作する起伏操作手段を、支柱の下部に連結した構成とすることができる。
【０００８】
又（４）中間支持部は、支柱の上部にチェーンを支持し、この支柱の下部を軸により回動可能に支持し、この軸を支点として、支柱をゲート操作部に於けるゲートの開閉操作に対応して起伏操作する起伏操作手段を設けることができる。
【０００９】
又（５）中間支持部は、支柱の上部にチェーンを支持し、この支柱の下部を水平方向にスライド可能に支持し、ゲート操作部に於けるゲートの開閉操作に対応して支柱の下部を水平方向にスライドさせて起伏操作する起伏操作手段を設けることができる。
【００１０】
又（６）ゲート操作部１は、回転可能に支持されると共に手動又は電動により昇降され、且つ一端を固定したチェーンを巻回した第１のドラム５と、回転可能に支持されて、第１のドラム５に巻回したチェーンを巻回して所定の高さにチェーンを張る為の第２のドラム６と、第１のドラム５を上昇させた時に、中間支持部３の支柱３１を倒し、第１のドラム５を降下させた時に、中間支持部３の支柱３１を起立させる起伏操作手段の駆動部とを備えることができる。
【００１１】
又（７）ゲート操作部は、回転可能に支持されると共に手動又は電動により昇降され、且つ一端を固定したチェーンを巻回した第１のドラムと、回転可能に支持されると共に、第１のドラムの昇降方向と反対方向に昇降されて、第１のドラムに巻回したチェーンを巻回して所定の高さにチェーンを張る為の第２のドラムと、第１のドラムを上昇させ且つ第２のドラムを降下させた時に、中間支持部の支柱を倒し、第１のドラムを降下させ且つ第２のドラムを上昇させた時に、中間支持部の支柱を起立させる起伏操作手段の駆動部とを備えることができる。
【００１２】
又（８）保持部は、チェーンを張る方向に傾斜した支柱と、該支柱にスライド可能に設けて前記チェーンの他端を固定した支持部材とを備え、且つ起伏操作手段の端部を支持部材に結合させた構成とすることができる。
【００１３】
【発明の実施の形態】
図１は本発明の一実施の形態の説明図であり、概略の側面図を示す。１はゲート操作部、２は保持部、３は中間支持部、４，４ａはチェーン、５，５ａは第１のドラム、６は第２のドラム、７はガイド溝、８，９は回転軸、１０はハンドル、１１はモータ、１２はチェーンの一端の固定部、１３，１４はチェーンスプロケット、１５はチェーンベルト、１６は操作ワイヤ、２１は支柱、２２は支持部材、２３は溝、２４は路面、３１は支柱、３２は軸を示す。
【００１４】
ゲートの一端にゲート操作部１を設け、そのゲートの他端に保持部２を設け、ゲート操作部１と保持部２との間に、単一又は複数の中間支持部３を設ける。又ゲート操作部１と中間支持部３との間に支柱３１の起伏操作を行う起伏操作手段を設ける。この起伏操作手段は、ワイヤ，チェーン，ロッド等のゲート操作部１と中間支持部３との間の連結を行う為の操作連結部と、これを引っ張り或いは押す操作を行う駆動部とを含むものであり、操作ワイヤ１６が操作連結部に、又チェーンスプロケット１４と同軸に操作ワイヤ１６ａを巻付けた構成（詳細な構成の図示を省略）が駆動部に相当することになる。
【００１５】
又ゲート操作部１は、一端を固定部１２に固定したチェーンを、昇降可能に設けた第１のドラム５に巻回し、更に第２のドラム６に巻回して、そのチェーンの他端を保持部２の支持部材２２に固定し、ゲート操作部１と保持部２との中間に配置した中間支持部３の起伏可能に設けた支柱３１の上部にチェーンを支持する。ゲート操作部１は、ハンドル１０を回転することにより、又はモータ１１を駆動することにより、即ち、手動又は電動により後述のようにゲートの開閉操作を行い、且つ中間支持部３の支柱３１の起伏操作を行うものである。
【００１６】
ゲート操作部１の第１のドラム５は、ガイド溝７に沿って昇降可能に且つ回転軸８によって回転可能に設けられ、チェーンベルト１５に回転軸８の軸受部分が固定されている。第１のドラム５が実線位置の場合、保持部２に於いては、支柱２１の傾斜とチェーンの重量とによって、支持部材２２が支柱２１の最下部の実線で示す位置に降下し、又中間支持部３の支柱３１は、溝２３内に倒れた状態となり、チェーン４は、太一点鎖線で示すように、溝２３内に下ろされて、ゲートは開かれた状態となる。
【００１７】
ハンドル１０又はモータ１１により、チェーンスプロケット１３，１４を時計方向に回転させると（歯車やベルト等による回転伝達機能の詳細は、既に知られている各種の機構を適用することができるから、詳細な構成は図示を省略している）、チェーンスプロケット１３，１４に巻回したチェーンベルト１５は矢印ａ方向に移動し、このチェーンベルト１５に結合した第１のドラム５は矢印ｂ方向にガイド溝７に沿って降下し、この第１のドラム５は最終的には５ａの位置となる。この第１のドラム５の矢印ｂ方向への降下により、チェーン４は矢印ｃ方向に引っ張られる。
【００１８】
又操作連結部を構成する操作ワイヤ１６は、チェーンスプロケット１４と共に回転する操作ドラム（図示を省略）等の駆動部によって、例えば、第１のドラム５を降下させてチェーンを引っ張った時に、操作ワイヤ１６を矢印ｄ方向に引っ張り、それにより、中間支持部３の支柱３１を、倒れている状態から矢印ｅ方向に軸３２を中心にして実線位置に起立させ、支柱３１の上部でチェーン４ａを支持し、ゲート操作部１と保持部２との間が長い場合でも、チェーン４ａが垂れ下がらないように、中間支持部３の支柱３１によって支持することができる。
【００１９】
又保持部２に於いては、チェーン４がゲート操作部１の方向に引っ張られることにより、支持部材２２は、支柱２１の傾斜角度と、水平方向の引っ張り力とに応じた力で矢印ｆ方向に上昇し、支柱２１の上部の点線位置となる。それにより、太二点鎖線で示すように、チェーン４ａは所定の高さに張られて、ゲートを閉じることができる。
【００２０】
ゲートが閉じられている状態から、ハンドル１０又はモータ１１により、チェーンスプロケット１３，１４を反時計方向に回転させると、チェーンベルト１５により第１のドラム５はガイド溝７に沿って上昇する。それにより、固定部１２と第２のドラム６との間のチェーンが、第２のドラム６を介して繰り出されることになり、太二点鎖線のチェーン４ａは緩むことにより降下する。
【００２１】
又チェーンスプロケット１４の回転と共に回転する図示を省略した操作ドラム等の駆動部により、操作ワイヤ１６は、矢印ｄと反対方向に移動する。それにより、中間支持部３の支柱３１は、軸３２を中心として矢印ｅと反対方向に倒れることになる。又保持部２の支持部材２２ａに対してチェーン４ａの重量が直接的に加えられるから、支柱２１の傾斜に従って支持部材２２は実線位置に降下する。従って、チェーン４は溝２３内に入り、又中間支持部３の支柱３１も溝２３内に倒れて、ゲートは開いた状態となる。
【００２２】
従って、幅の広いゲートの場合でも、ゲートの一端に設けたゲート操作部１とゲートの他端に設けた保持部２との間に、単一又は複数の中間支持部３を設け、ゲート操作部１に於けるハンドル１０の操作又はモータ１１の駆動により、チェーン４を所定の高さに張ってゲートを閉じ、反対にチェーン４を緩めてゲートを開けることができ、中間支持部３もゲートの開閉に応じて支柱３１を起伏操作することにより、チェーンの中間も垂れ下がることがなく、且つゲートの開閉操作が簡単となる利点がある。
【００２３】
又第１のドラム５の重量と、チェーン４の重量とが平衡状態であれば、第１のドラム５を昇降させる力は僅かで済むことになり、ゲートの開閉操作が容易となる。又第１のドラム５の昇降位置で停止させる簡単なブレーキを設けて、ゲートの開閉位置を固定することができる。又モータ１１をブレーキ付きのギアモータとし、電動操作を行うことが可能であり、その場合、第１のドラム５の昇降位置をリミットスイッチ（図示せず）によって検出して自動的に停止させる構成とすることも可能である。又ガイド溝７を省略して、チェーンスプケット１３，１４間のチェーンベルト１５のみで、第１のドラム５を回転可能に支持すると共に昇降させることも可能である。
【００２４】
図２は中間支持部の一実施の形態の説明図であり、（Ａ）は概略側面図、（Ｂ）は概略正面図で、３０はチェーン、３１は支柱、３２は軸、３３は結合アーム、３４は結合軸、３５は路面、１６ａ，１６ｂは操作ワイヤを示す。操作連結部を構成する操作ワイヤ１６ａ，１６ｂは、ゲート操作部１と保持部２（図１参照）との間に折返すように設けられ、操作ワイヤ１６ａを矢印ｇ方向に移動させると、操作ワイヤ１６ｂは矢印ｈ方向に移動することになる。なお、ゲート操作部１と保持部２との間のチェーン３０の一部のみを図示している。
【００２５】
この中間支持部は、支柱３１の上部にチェーン３０を支持し、軸３２を中心に支柱３１を起伏可能の構成とした場合を示す。又支柱３１と結合アーム３３とをくの字状に一体化し、結合アーム３３の支柱３１に近い部分を軸３２により回動可能に支持し、結合アーム３３の先端部分を結合軸３４により操作ワイヤ１６ａと結合する。なお、支柱３１と結合アーム３３とは直線状に一体化することも可能である。その場合、支柱３１を起立させる時の操作ワイヤ１６ａと結合アーム３３との間にガイドローラ等を設ける必要がある。
【００２６】
支柱３１が起立した実線位置で、その上部にチェーン３０を支持し、チェーンゲートを閉じた状態とすることができる。この状態から、ゲート操作部によりチェーンゲートを開ける操作を行うと、操作ワイヤ１６ａは矢印ｇ方向に移動し、操作ワイヤ１６ｂは矢印ｈ方向に移動する。それにより、結合軸３４は、軸３２を中心とした矢印ｉで示す弧を描いて移動し、支柱３１は、軸３２を中心として矢印ｊ方向に移動する。即ち、操作ワイヤ１６ａによる操作と、チェーン３０を緩めることによるチェーン３０の重量とにより、点線で示すように、路面３５下、即ち、溝内に倒される。従って、支柱３１の上部に支持したチェーン３０も路面３５下となり、チェーンゲートは開かれる。
【００２７】
チェーンゲートが開かれた状態に於いて、ゲート操作部によりチェーンゲートを閉じる操作を行うと、操作ワイヤ１６ａは矢印ｇと反対方向に移動し、結合軸３４は矢印ｉと反対方向に移動し、支柱３１は、軸３２を中心として矢印ｋ方向に回動し、チェーン３０の引っ張り力も作用して実線位置に直立する。それにより、チェーン３０が垂れ下がらないように、支柱３１の上部に於いて支持することができる。
【００２８】
ゲート操作部１と中間支持部３との間の操作手段として、前述の実施の形態は、操作ワイヤ１６，１６ａ，１６ｂを用いた場合を示すが、チェーンにより構成することも可能である。又操作ワイヤ１６ａをロッドとして、結合アーム３３の先端部分を結合軸３１によりロッドと結合することができる。この場合、１本のロッドで支柱３１の起伏操作を行うことができる。又チェーン３０を支柱３１の上部に固定して支持することも可能であり、又支柱３１の上部にチェーン３０をスライド可能に保持する構成とすることも可能である。
【００２９】
図３は中間支持部の他の実施の形態の説明図であり、（Ａ）は概略側面図、（Ｂ）は概略正面図で、４０はチェーン、４１は支柱、４２はローラ、４３はスライド溝、４４は軸、１６ｃは操作ワイヤを示す、支柱４１の上部にチェーン４０を固定して支持し、この支柱４１の下部の軸４４にローラ４２を設け、このローラ４２をスライド溝４３内に転動可能として、支柱４１の下部を水平方向にスライド可能に支持し、操作連結部を構成する操作ワイヤ１６ｃによって支柱４１の下部をスライドさせる。
【００３０】
図４は図３のローラ４２と軸４４とを含む部分を拡大して示すもので、（Ａ）は要部側面図、（Ｂ）は要部正面図である。支柱４１の下部の軸支持部４５に軸４４を回転可能に支持し、この軸４４にローラ４２とワイヤ結合部４６とをそれぞれ回動可能に支持し、ローラ４２を、水平方向のスライド溝４３内に転動可能に設け、又ワイヤ結合部４６に操作ワイヤ１６ｃを結合する。
【００３１】
図３及び図４には図示を省略したゲート操作部によりチェーンゲートを開けるように操作すると、操作ワイヤ１６ｃは矢印ｍ方向（図３参照）に移動する。この操作ワイヤ１６ｃの移動に従ってローラ４２がスライド溝４３内を転動して移動し、支柱４１の下部が矢印ｍ方向に移動する。その時、支柱４１の上部に固定したチェーン４０は緩められるから、支柱４１は矢印ｎ方向に倒れ、最終的には溝内にチェーンと共に倒れることになる。反対に、ゲート操作部によりチェーンゲートを閉じるように操作すると、操作ワイヤ１６ｃは、矢印ｍと反対方向に移動する。それにより、支柱４１の下部のローラ４２が矢印ｍと反対方向にスライド溝４３内を移動し、その支柱４１の上部に固定したチェーンが引っ張られていることにより、倒れた状態から実線位置の起立状態となり、支柱４１の上部にチェーン４０を所定の高さで支持することになる。
【００３２】
又操作ワイヤ１６ｃは、チェーンゲートを閉じる時に、矢印ｍと反対方向に引っ張って支柱４１を立上げ、チェーンゲートを開く時は、操作ワイヤ１６ｃを緩め、且つチェーン４０を緩めることにより、支柱４１が矢印ｎ方向に倒れるように構成することも可能である。この場合、操作ワイヤ１６ｃは１本で済むことになる。又操作手段としての操作ワイヤ１６ｃは、ワイヤ以外の構成とすることが可能である。例えば、チェーン或いはロッドを用いて、ゲート操作部との間を連結することができる。
【００３３】
図５はゲート操作部５１と保持部５２との間の操作ワイヤ６６について示すもので、５４はチェーン、５５は第１のドラム、５６は第２のドラム、５８，５９は回転軸、６０はハンドル（図示せず）により回転されるチェーンスプロケット、６１，６３はチェーンスプロケット、６２は操作ドラム、６４は二重プーリー、６５はチェーンスプロケット、６７，６８はチェーンベルト、６９はチェーン５４の一端の固定部、７１は傾斜して固定した支柱、７２は支持部材、７３は操作ワイヤ６６の折り返し用のプーリー、７４は二重プーリーを示す。
【００３４】
ゲート操作部５１と保持部５５との間に掛け渡した操作ワイヤ６６が操作連結部を構成し、チェーンベルト６７を介して第１のドラム５５の昇降される操作に対応して回転される操作ドラム６２が、操作連結部を駆動する駆動部を構成することになる。又操作ワイヤ６６を案内する二重プーリー６４，７４は、例えば、下方に示すように、軸６４ｃにプーリー６４ａ，６４ｂをそれぞれ回転可能に設けた構成を有し、又操作ドラムと折り返し用のプーリーとは一重プーリーの構成とするものである。
【００３５】
第１のドラム５５の回転軸５８の支持部分をチェーンスプロケット６３，６５間のチェーンベルト６８に固定し、このチェーンベルト６８によって第１のドラム５５を昇降させる。図１に示すゲート操作部１に比較してガイド溝を省略した構成に相当する。又ハンドル（図示せず）を例えば反時計方向に回転すると、チェーンスプロケット６０が回転し、チェーンスプロケット６０，６１間のチェーンベルト６７を介してチェーンスプロケット６１，６３及び操作ドラム６２が反時計方向に回転し、チェーンスプロケット６３，６５間のチェーンベルト６８も反時計方向に移動し、第１のドラム５５が上昇する。
【００３６】
又第１のドラム５５が上昇すると、太二点鎖線のチェーン５４が太一点鎖線のチェーンの状態となる。即ち、所定の高さに張ったチェーン５４が路面に下降する。又チェーンスプロケット６１，６３と同一の軸に固定した操作ドラム６２もチェーンスプロケットの構成とし、操作ワイヤ６６の一部又は全部をチェーンベルトの構成とすることも可能である。又操作ワイヤ６６を全部チェーンベルトとした場合、プーリー７３と二重プーリー６４，７４もチェーンスプロッケットの構成とすることになる。なお、図示を省略した中間支持部に対して、例えば、図２に於ける操作ワイヤ１６ａ，１６ｂの構成を実現して、中間支持部の支柱の起伏の操作を行うことになる。
【００３７】
図６はゲート操作部の他の実施の形態の説明図であり、（Ａ）は概略側面図、（Ｂ）は一部の変形例を示す。同図に於いて、８１はゲート操作部、８２は固定部、８５は第１のドラム、８６は第２のドラム、８８，８９は回転軸、９０はハンドル、９１はハンドル軸、９２，９４は傘歯車、９３，１０５はウォーム歯車、９５〜１００はチェーンスプロケット、１０１〜１０４はチェーンベルト、１０６は操作ワイヤ、１０７は操作ドラム、１１０はレバー、１１１，１１２は軸、１１３は操作連結部を構成するロッドを示す。
【００３８】
図６の（Ａ）に於いて、第１のドラム８５の回転軸８８の支持部分を、チェーンスプロケット９７，１００間のチェーンベルト１０４に固定し、又第２のドラム８６の回転軸８９の支持部分を、チェーンスプロケット９８，９９間のチェーンベルト１０３に固定して、第１のドラム８５を上昇させた時に、第２のドラム８６を降下させる構成とする。
【００３９】
即ち、太二点鎖線のチェーン８４は、チェーンゲートを閉じた状態に於ける位置を示し、ハンドル９０を回転して、傘歯車９２，９４を介してチェーンスプロケット９５〜１００を反時計方向に回転させると、チェーンスプロケット９８，９９間のチェーンベルト１０３により第２のドラム８９が降下し、チェーンスプロケット９７，１００間のチェーンベルト１０４により第１のドラム８５は上昇する。それにより、太二点鎖線のチェーン８４は、太一点鎖線の位置に降下して、チェーンゲートを開くことになる。
【００４０】
又反対方向にハンドル９０を回転させると、第１のドラム８５はチェーンベルト１０４により降下し、第２のドラム８６はチェーンベルト１０３により上昇して、図示の実線位置となり、この第２のドラム８６を介してチェーン８４を所定の高さに張ることができる。即ち、チェーンゲートを閉じた状態とすることができる。
【００４１】
このように第２のドラム８６を第１のドラム８５と反対方向に昇降させ、チェーンゲートを閉じる時は、第２のドラム８６を所定の高さに上昇させてチェーンを所定の高さに支持し、且つ第１のドラム８５を降下させて、チェーン８４を引っ張って、図示を省略した中間支持部又は保持部との間にチェーン８４を所定の高さに張ることができる。又反対に、第１のドラム８５を上昇させ、第２のドラム８６を降下させることにより、チェーン８４を緩めると共に、ゲート操作部８１からのチェーン８４の高さを路面に下げることができる。
【００４２】
又ハンドル軸９１の下部のウォーム歯車９３，１０５により操作ドラム１０７を回転し、この操作ドラム１０７に巻回した操作ワイヤ１０６を移動するもので、起伏操作手段の駆動部を構成していることになり、起伏操作手段の操作連結部を構成する操作ワイヤ１０６は、図２又は図３に示す中間支持部の支柱の起伏操作を行うものである。この操作ワイヤ１０６の他端側、即ち、保持部側に於いては、図５に於けるプーリー７３と同様な折り返し用のプーリーを設けることができる。
【００４３】
又操作連結部として操作ワイヤ１０６の代わりに、チェーンを用いることができる。このような可撓性の構成の代わりに、剛体のロッドを用いることもできる。即ち、図６の（Ｂ）は、ロッド１１３を用いた場合の要部を示し、上部にハンドル９０を有するハンドル軸９１に固定したウォームとこれに噛み合うウォームホイールとにより、回転方向と回転数とを変換し、軸１１１に固定したレバー１１０の先端に軸１１２を介してロッド１１３を結合し、レバー１１０の回動に従ってロッド１１３を矢印ｐ方向又はそれと反対方向に駆動する駆動部を構成している。
【００４４】
例えば、中間支持部を図２に示す構成とした場合、矢印ｐ方向と、図２に於ける矢印ｇ又は図３に於ける矢印ｍと同一方向とすると、ロッド１１３を矢印ｐ方向にレバー１１０の回動によって移動させると、支柱３１，４１を倒してチェーンゲートを開けることになる。その場合、ロッド１１３には押圧力が作用し、又支柱３１，４１にはチェーン３０，４０を緩めたことによる下向きの力が作用する。又矢印ｐと反対方向にロッド１１３を移動させると、支柱３１，４１を起立させてチェーンゲートを閉じることになる。その場合、ロッド１１３には引張力が作用し、又支柱３１，４１にはチェーン３０，４０により上方向へ引っ張られる力が作用する。
【００４５】
又矢印ｐ方向と、図２に於ける矢印ｇ又は図３に於ける矢印ｍとを反対方向とすると、ロッド１１３を矢印ｐ方向にレバー１１０の回動によって移動させると、支柱３１ｐ４０は起立してチェーンゲートを閉じることになり、反対に、ロッド１１３を矢印ｐと反対方向に移動させると、支柱３１ｐ４１を倒してチェーンゲートを開くことになる。
【００４６】
このようなロッド１１３を操作連結部として用いると、操作ワイヤ１０６のように、保持部との間でエンドレスの状態となるような折り返す構成が必要でなくなり、ゲート操作部と中間支持部との間に設ければ良いことになる。
【００４７】
又図３，図４に示す起伏可能の支柱を用いた場合、図７に示す起伏操作手段とすることができる。同図に於いて、図１，図３，図４と同一符号は同一部分を示し、（Ａ）は概略側面図、（Ｂ）は支柱の要部拡大図であり、１６ｄは操作ワイヤ、１６ｅは固定部、４７ａ，４７ｂは作動駒、４８は駆動ドラム、４９，５０は案内ドラムを示す。
【００４８】
ゲート操作部１と、保持部２と、中間支持部３との間の太一点鎖線で示すチェーン４は、その一端を固定部１２に固定し、他端を支持部材２２に固定し、ゲート操作部１の第１のドラム５と第２のドラム６とに巻回し、中間支持部３の支柱４１の上部にチェーン４の中間を支持する。又点線で示す操作ワイヤ１６ｄの一端を固定部１６ｅに固定し、第１のドラム５と共に昇降可能に且つ回転可能に設けた駆動ドラム４８に巻回し、案内ドラム４９により案内して導出し、中間支持部３の支柱４１の下部と結合させ、保持部２の案内ドラム５０により案内して、支柱２１にスライド可能に設けた支持部材２２に固定する。
【００４９】
又（Ｂ）に示すように、支柱４１の下部に操作ワイヤ１６ｄを貫通させ、その操作ワイヤ１６ｄに、位置を調整可能に設けた作動駒４７ａ，４７ｂによって、操作ワイヤ１６ｄと支柱４１の下部との間に遊びを形成した場合を示す。このような余裕分に相当する伸縮可能のスプリング等の弾性体を、操作ワイヤと支柱４１との下部との間に介在させて結合することも可能である。
【００５０】
ゲート操作部１の第１のドラム５を降下させると、チェーン４は第２のドラム６を介して矢印方向に引っ張られ、又操作ワイヤ１６ｄは駆動ドラム４８が降下することにより、矢印方向に緩められる。中間支持部３の支柱４１の上部は、チェーン４に固定されているから、チェーン４が引っ張られることにより立上り、又保持部２の支柱２１にスライド可能に設けた支持部材２２は、チェーン４の引っ張り力で上昇する。
【００５１】
それにより、支持部材２２に固定された操作ワイヤ１６ｄは、矢印方向に引っ張られ、作動駒４７ｂが支柱４１の下部に当接し、支柱４１の下部のローラ４２がスライド溝４３に沿って転動し、支柱４１の下部を保持部２側へスライドさせる。従って、支柱４１は、チェーン４の引っ張り力と、その下部のスライドとにより点線位置に直立し、チェーン４を所定の高さに支持する。即ち、作動駒４７ｂを、支柱４１が直立する位置の操作ワイヤ１６ｄに固定する。
【００５２】
反対に、第１のドラム５を上昇させると、チェーン４は第２のドラム６を介して緩められ、この第１のドラム５と共に上昇する駆動ドラム４８によって操作ワイヤ１６ｄを引っ張ることになり、作動駒４７ａが支柱４１の下部に当接することにより、支柱４１の下部をスライドさせ、このスライドすることと、チェーン４の重量とによって、支柱４１は倒れる。又操作ワイヤ１６ｄによって支持部材２２が引き下げられると共に、チェーン４の重量によって、支持部材２２は降下し、それによって、チェーン４を下げて、ゲートを開くことができる。
【００５３】
図８は本発明の他の実施の形態の配置説明図であり、矢印Ａ，Ｂ方向に自動車等が出入するような直線状でないゲートの一端にゲート操作部１を配置し、そのゲートの他端に保持部２を配置し、ゲートの角部に角中間支持部１２３を配置する。そして、ゲート操作部１と保持部２との間の１本のチェーン４を角中間支持部１２３に於いて支持する。
【００５４】
この角中間支持部１２３は、ゲート操作部１と保持部２との間の角度θのほぼ中間の角度（θ／２）の方向に傾斜した支柱１２５と、この支柱１２５にスライド可能に且つ回転可能に設けたチェーン案内ドラム１２６とを有し、このチェーン案内ドラム１２６にチェーン４を保持して案内する。即ち、ゲート操作部１に於いてチェーン４を矢印Ｃ方向に引っ張ると、チェーン案内ドラム１２６が支柱１２５に沿って上昇し、チェーン４を所定の高さに支持して、矢印Ａ，Ｂ方向に対して同時にゲートを閉じた状態とする。又ゲート操作部１に於いてチェーンを緩めると、即ち、矢印Ｄ方向に繰り出すようにすると、チェーン案内ドラム１２６が支柱１２５に沿って降下し、チェーン４も降下して路面に形成した溝内に入り、矢印Ａ，Ｂ方向に対して同時にゲートを開くことができる。
【００５５】
なお、点線で示す中間支持部３は、角中間支持部１２３と保持部２との間の距離が長い場合に、図２又は図３に示すような起伏可能の支柱でチェーン４の中間を所定の高さに支持する為のものであり、ゲート操作部１からその支柱の起伏を操作する構成とするものである。又角中間支持部１２３とゲート操作部１との間の距離が長い場合も、このような中間支持部３を設けることができる。
【００５６】
図９は本発明の他の実施の形態の要部上面図及び要部側面図であり、１はゲート操作部、２は保持部、１２３は角中間支持部、４はチェーン、６は第２のドラム、１０はハンドル、２１は支柱、２２は支持部材、１２はチェーンの固定部、１３はチェーンスプロケット、１７はチェーンベルト、１２５は支柱、１２６はチェーン案内ドラム、１２７は脱落防止用のピン、１２８は補助支柱を示し、（Ａ）は角中間支持部１２３を矢印Ａ方向から見た場合の要部側面図を示す。
【００５７】
ゲート操作部１と保持部２とは、図１に示す構成に相当し、第１のドラムは図示を省略しており、又チェーンスプロケット１３をチェーンベルト１７を介してハンドル１０により回転する構成の場合を示す。又図８に示す場合と同様に、直線状ではないゲートの一端にゲート操作部１を設け、ゲートの他端に保持部２を設け、ゲートの角部に角中間支持部１２３を設ける。
【００５８】
そして、ゲート操作部１の第２のドラム６を介して引っ張られ、又は緩められるチェーン４を、角中間支持部１２３のチェーン案内ドラム１２６により案内させ、保持部２の支柱２１にスライド可能に設けた支持部材２２にチェーン４の他端を固定する。この支柱２１は、（Ａ）に側面を示す角中間支持部１２３の支柱１２５と同様に傾斜して設けたもので、チェーン４を引っ張ることにより、支持部材２２が支柱２１に沿って上昇する。
【００５９】
ゲート操作部１は、ハンドル１０を所定の方向に回すことにより、図示を省略した機構により、一端を固定部１２に固定したチェーン４を、第２のドラム６を介して引っ張り、ハンドル１０を反対方向に回すことにより、第２のドラム６を介して緩めることになる。
【００６０】
又角中間支持部１２３のチェーン案内ドラム１２６は、支柱１２５にスライド可能に且つ回転可能に設けられており、チェーン４が一部巻回され、ピン１２７によりチェーン４が外れないようにしており、ゲート操作部１のハンドル１０を回して、チェーン４を矢印Ｅ方向に引っ張ると、チェーン案内ドラム１２６は支柱１２５に沿って矢印Ｆ方向に上昇して実線位置となり、チェーン４を案内すると共に、所定の高さに支持し、太二点鎖線で示すチェーン４の位置としてゲートを閉じることができる。
【００６１】
又ゲート操作部１のハンドル１０を反対方向に回してチェーン４を矢印Ｇ方向に緩めると、チェーン案内ドラム１２６は支柱１２５に沿って矢印Ｈ方向に降下して点線位置となり、チェーン４を太一点鎖線で示すように降下させて、路面に形成した溝内に入れることができる。従って、任意の角度θの連続したゲートに対しても、１箇所のゲート操作部１に於ける操作で、チェーン４を所定の高さに張ってゲートを閉じ、反対にチェーン４を緩めてゲートを開くことができる。
【００６２】
図１０は操作ワイヤの案内部を有する角中間支持部の説明図であり、（Ａ）は概略上面図、（Ｂ）は概略側面図、（Ｃ）は変形例の要部を示し、図９と同一符号は同一部分を示す。同図に於いて、１２９は二重プーリー、１３１はアームを有するスライド部、１３２，１３４は軸、１３３は支持アーム、１３５はチェーン案内ドラムを示す。同図の（Ａ），（Ｂ）に於ける二重プーリー１２９は、例えば、図５に於ける二重プーリー６４，７４間の操作ワイヤ６６を角部に於いて案内する案内部を構成するもので、この操作ワイヤ６６は、前述のように、ゲート操作部と保持部との間に掛け渡されるものである。
【００６３】
又同図の（Ｃ）は、支柱１２５に直接的にチェーン案内ドラム１２６を設ける代わりに、支柱１２５にスライド可能に設けたスライド部１３１のアームに、軸１３２によって回動可能の支持アーム１３３を設け、この支持アーム１３３に、軸１３４により回転可能にチェーン案内ドラム１３５を設けた場合を示し、このチェーン案内ドラム１３５により、角部に於けるチェーン４を案内する。即ち、チェーンゲートを閉じる時は、チェーン４の張力によってスライド部１３１が支柱１２５の上部に上昇して、チェーン案内ドラム１３５により案内されるチェーン４を所定の高さに支持し、反対に、チェーンゲートを開く時は、チェーン４の緩みでスライド部１３１が支柱１２５の下部に降下して、チェーン案内ドラム１３５により案内されるチェーン４を路面の溝等に入るように降下させることができる。
【００６４】
この場合、チェーン案内ドラム１３５は、軸１３２により回動可能に支持される支持アーム１３３に軸１３４によって回転可能に支持されているから、チェーン４の張力方向に対して軸１３４が垂直方向となるように、支持アーム１３３が回動し、従って、チェーン案内ドラム１３５の回転が円滑となる利点がある。なお、前述の操作ワイヤは、ワイヤ以外にチェーンベルトの構成とすることも可能であり、その場合は、前述の二重プーリー１２９は、チェーンスプロケット構成とすることになる。即ち、中間支持部３の支柱の起伏操作を行う為の構成に対応して角中間支持部の案内機構を設けることができる。
【００６５】
本発明は、前述の各実施の形態にのみ限定されるものではなく、種々付加変更することが可能であり、例えば、ゲート操作部１，５１，８１は、チェーンを引っ張ることによりゲートを閉じ、チェーンを緩めることによりゲートを開く為の各種の機構を適用することができる。
【００６６】
【発明の効果】
以上説明したように、本発明は、ゲートの操作をハンドル１０等による手動操作又はモータ１１等による電動操作によりチェーン４を所定の高さに張り、又は緩めて路面に下ろす操作を行うゲート操作部１をゲートの一端に設け、そのゲートの他端に保持部２を設け、ゲート操作部１と保持部２との間に起伏可能の支柱３１を有する中間支持部３を単一又は複数設け、又は直線状でないゲートについては、角部に角中間支持部１２３を設け、又ゲート操作部１によりチェーン４を引っ張った時に起立させ、チェーン４を緩めた時に倒す支柱の起伏操作を行う為の起伏操作手段を設けたもので、ゲートが非常に長い場合又は直線状でない場合でも、その一端の１箇所のゲート操作部１の操作によってチェーンゲートの開閉操作が可能であり、且つチェーン４の垂れ下がりが生じないように、中間を支持することが可能であり、従って、チェーンゲートの操作性を著しく向上することができる利点がある。
【図面の簡単な説明】
【図１】本発明の一実施の形態の説明図である。
【図２】中間支持部の一実施の形態の説明図である。
【図３】中間支持部の他の実施の形態の説明図である。
【図４】ローラ部分の拡大図である。
【図５】操作ワイヤの説明図である。
【図６】本発明のゲート操作部の他の実施の形態の説明図である。
【図７】起伏操作手段の説明図である。
【図８】本発明の他の実施の形態の配置説明図である。
【図９】本発明の他の実施の形態の要部上面図及び要部側面図である。
【図１０】操作ワイヤの案内部を有する角中間支持部の説明図である。
【符号の説明】
１  ゲート操作部
２  保持部
３  中間支持部
４  チェーン
５  第１のドラム
６  第２のドラム
１０  ハンドル
１１  モータ
１２  固定部
１３，１４  チェーンスプロケット
１５  チェーンベルト
１６  操作ワイヤ
２１  支柱
２２  支持部材
２３  溝
２４  路面
３１  支柱
３２  軸
【図１】
0003635488.tif 000002
【図２】
0003635488.tif 000003
【図３】
0003635488.tif 000004
【図４】
0003635488.tif 000005
【図５】
0003635488.tif 000006
【図６】
0003635488.tif 000007
【図７】
0003635488.tif 000008
【図８】
0003635488.tif 000009
【図９】
0003635488.tif 000010
【図１０】
0003635488.tif 000011